(57)【要約】【課題】起剥器を一々押したり、更にはテープ先端を探し、裁断したりするという面倒がなく、実用的な連続剥離式セロハンテープユニットを提供する。      【解決手段】連続剥離式セロハンテープユニットは、筒巻き状の連続剥離式セロハンテープ、挟持筒及び底台から構成される。この連続剥離式セロハンテープは中空の軸筒上に複数層に巻きつけ、細長に切ったセロハンテープ片である。この連続剥離式セロハンテープを切る時、一辺は完全に切り、別の一辺には未切断の短接合縁を残す。連続剥離式セロハンテープを挟持筒に入れ、一回転させると、セロハンテープ片側の起剥部が立ち上がり、使用者の好む方向から随意にテープを剥す。【選択図】図１  
0003105587.tif 000002
【実用新案登録請求の範囲】
【請求項１】
主に筒巻き状の連続剥離式セロハンテープ、挟持筒及び底台から構成され、その底台上に挟持筒を設置し、挟持筒に筒巻き状の連続剥離式セロハンテープを設置する連続剥離式セロハンテープユニットにおいて、
中空の軸筒上に複数層で細長状に切り分けたセロハンテープ片を巻きつけ、各セロハンテープ片には底面の前端もしくは後端に無粘着の起剥部を形成し、その残り部分は下層のセロハンテープ片に粘着して設置され、更に隣合う上下層の無粘着の起剥部は前後交錯して設置させるので、上層のセロハンテープ片の起剥部を立ち上げると、下層のセロハンテープ片の別端が一緒に立ち上がるもので、また切断時、一辺を完全に切断し、別の一辺は未切断の短結合縁を残すため、隣合う二枚のセロハンテープ片が落ちることなく、挟持筒上で一回転させ、同時に起剥器を下へ押すと、片側のセロハンテープ片の起剥部が持ち上がり、両方向随意にセロハンテープ片を剥がす連続剥離式セロハンテープから構成されることを特徴とする連続剥離式セロハンテープユニット。
【請求項２】
前記挟持筒は、可動し、且つ二つに分かれるＩ字型体で、筒の中心には軸筒を嵌合する中柱が設置され、両辺には係止蓋が設置され、一部でセロハンテープの両辺を挟み、二つの係止蓋外側には中心凸軸が設置されることを特徴とする請求項１記載の連続剥離式セロハンテープユニット。
【請求項３】
前記挟持筒は、両端にネジ紋が成形されたＴ字型部品が相互に対応して構成され、そのＴ字型部品の柱体上には間隔を開けた凸環が複数成形されるため、セロハンテープを挟持筒の中柱上で回転した時、摩擦力が軽減され、またＴ字型部品の係止蓋には弾性を具えた起剥器が設置され、その起剥器内側は傾斜した舌部が成形され、セロハンテープ片の起剥部を立ち上げることを特徴とする請求項１記載の連続剥離式セロハンテープユニット。
【請求項４】
前記挟持筒の係止蓋には、凸縁が成形され、その凸縁は内向きに傾斜し、セロハンテープ片の起剥部を支えることを特徴とする請求項３記載の連続剥離式セロハンテープユニット。
【請求項５】
前記底台は、二つの台肘が設置され、両肘内側にはそれぞれ断面溝が成形され、そこに挟持筒の中心凸軸を掛合することを特徴とする請求項２記載の連続剥離式セロハンテープユニット。
【請求項６】
前記底台は、回転構造を具え、その回転構造は両台肘下方の凸柱及び差込孔を具えた支持台から構成され、そのうち差込孔内側の水平位置に各々凹点が設置され、その凸柱側面には凸点が設置され、支持台の差込孔に置いて回転し、凸点は差込孔内側の凹点にちょうど掛合して１８０度回転し、凸点は別の凹点で掛合されることを特徴とする請求項５記載の連続剥離式セロハンテープユニット。
【請求項７】
前記隣り合う二枚のセロハンテープ片の短接合縁は、幅が約一ｍｍであることを特徴とする請求項１記載の連続剥離式セロハンテープユニット。
【請求項８】
前記挟持筒は、可動して二つに分かれるＩ字型体で、その一側面の係止蓋は孔がなく、別側の係止蓋には内に凹んだ軸孔が設置され、底台は単肘式で、支持軸、上底盤及び下底盤を含み、その支持軸は挟持筒上の軸孔と相互に合い、支持軸を軸孔に入れると、挟持筒は支持軸が軸心となって回転し、支持軸の一側面と支持肘の一端は上底盤上で固定され、上底盤は下底盤上方に設置され、上下底盤は可動分離する円形盤体であることを特徴とする請求項１記載の連続剥離式セロハンテープユニット。
【請求項９】
前記底台には回転構造が設置され、その回転構造は円形凸、円形凹槽、二つの凹点及び凸点から構成され、そのうち、上底盤の円形凸は下底盤の円形凹槽と対で相互に合わさり、上下底盤は位置が限定され、且つ円形回転し、上底盤の二つの凹点はそれぞれ円直径の両端にそれぞれ位置し、その円と円形凸は同心円で、上底盤と下底盤が相互に組み合わさった後、この円は下底盤の相対位置上に設置した凸点と対応し、その凸点は可動して弾性を具え、そのため上下底盤を回転させると、凸点は凹点位置に達し、両者は雌雄構造によって噛み合って固定され、更に力を加えて上底盤を回転させると、凸点が抵抗弾力によって下へ移動し、凹点位置から外れ、１８０度回転した後、別の凹点位置に達し、雌雄構造によって噛み合って固定されることを特徴とする請求項８記載の連続剥離式セロハンテープユニット。
【考案の詳細な説明】
【技術分野】
【０００１】
本考案は、連続剥離式セロハンテープユニットに関するもので、一辺が完全に切れていて、もう一辺は切断されずに短い接合縁を残した筒巻き状の連続剥離式セロハンテープである。そのため隣合った二枚のセロハンテープが互いに繋がって落ちることがなく、一度に複数枚のセロハンテープ片の起剥部が立ち上がり、且つ上層のテープ起剥部を引上げると、下層のセロハンテープの起剥部が同時に持ち上がり、双方どちらからでもセロハンテープ片を剥がせ、貼り付け、包装、固定、閲覧資料のインデックス等の用途がある。
【背景技術】
【０００２】
セロハンテープは、我々の生活になくてはならないほどの必需品となっており、衣服製造業、デパート、オフィス等等では大量に使用されている。例としてパン屋ではビニール袋にパンを入れた後、袋の口をセロハンテープで止めるが、このようにセロハンテープには貼り付け、包装、固定、インデックスの機能をもつ。しかし、使用者はセロハンテープをカットしたり、長短を判断したりする手間がかかり、特にカットにはナイフや鋏などの刃物、鋭利道具が必要で、このような道具がないと、カット作業は困難になり、無理に切ると、美観が悪くなる。
【０００３】
確かに筒巻き式セロハンテープを前端にカット具が設置されたセロハンテープ台が市場に出ており、使用時にカットするのに便利である。しかし、毎回セロハンテープをカット具上でカットし、長さを調節しなければならない。更にカット具で切ったテープ先端は美観に欠ける。
【０００４】
この他、市場には、平面包装された交錯式セロハンテープ片があり、使用者が一枚目を剥がすと、自動的に下の二枚目のセロハンテープが粘着されて引き起こされ、無粘着部先端が現れるので、剥がしやすい。しかし、この構造は枚数が少ないため、セロハンテープを大量に使用する商店等では不便な上に、コストがかかる。
【０００５】
また別に剥がし不要のセロハンテープ台構造が出ており、筒環を押すと引き上がる構造で、セロハンテープが動くと、そのうちの一片が引き上がるので、使いやすくなっている。
【考案の開示】
【考案が解決しようとする課題】
【０００６】
解決しようとする問題点は、上述の構造には改善が必要な点があり、使用の度に起剥器を押して立ち上がらせなければならず、且つセロハンテープ片は単方向にしか立ち上がらないので、操作上面倒である。
【課題を解決するための手段】
【０００７】
本考案は、筒巻き状の連続剥離式セロハンテープ、挟持筒及び底台から構成される。この連続剥離式セロハンテープは中空の軸筒上に複数層に巻きつけ、細長に切ったセロハンテープ片である。この連続剥離式セロハンテープを切る時、一辺は完全に切り、別の一辺には未切断の短接合縁を残す。連続剥離式セロハンテープを挟持筒に入れ、一回転させると、セロハンテープ片側の起剥部が立ち上がり、使用者の好む方向から随意にテープを剥すことを最も主要な特徴とする。
【考案の効果】
【０００８】
本考案の連続剥離式セロハンテープユニットは、下述の利点がある。
本考案の筒巻き状連続剥離式セロハンテープは、大量枚数のカット済テープである。公知の逐次剥がさなければならない、長短不揃い、不便という欠点を改善している。この他、セロハンテープ片の起剥部に色を印刷すれば、剥がす位置が更に明確になり、色管理や表示による管理がしやすくなる。
本考案の連続剥離式セロハンテープは一回転させると、セロハンテープ片側の起剥部が立ち上がり、両方向からテープを剥がせ、公知のような起剥器を一々押したり、更にはテープ先端を探し、裁断したりするという面倒がなく、実用的である。
本考案の底台は、回転式設計で１８０度回転する。使用者は自在に方向を調節し、スムーズにセロハンテープを剥がす。
【考案を実施するための最良の形態】
【０００９】
初めに筒巻きの片面すべてを起こすだけで、セロハンテープ片の片側が立ち上がり、どちらの方向からでも剥がせ、使用の度にセロハンテープの先を起こす面倒を失くすという目的を、実現した。
更に回転式連続剥離式セロハンテープ台を設置してより便利に剥がして使用するという目的を実現した。
【実施例１】
【００１０】
図１、２及び図３に示すとおり、本考案は、連続剥離式セロハンテープ１、挟持筒３及び底台４を含む。そのうち、図４に示すとおり、複数の連続剥離式セロハンテープ重層１１が相互連続して配列され、それを軸筒２外周に巻いて設置し、筒巻き状の連続剥離式セロハンテープ１を形成している。各連続剥離式セロハンテープ重層１１は、切り分けられたセロハンテープ片１２が上下に重ねられたもので、各セロハンテープ片は底面の前端もしくは後端に無粘着部分を設置して起剥部１２１とする。残りの部分は粘着部１２２とし、その下層のセロハンテープ片１２に接着されている。また、隣合う上下層無粘着の起剥部１２１は、各々が前後交錯して設置されているため、上層のセロハンテープ片１２の起剥部１２１を引上げると、下層のセロハンテープ片１２別端の起剥部１２１が同時に持ち上がるので、両方向からセロハンテープ片１２を剥がせる。
【００１１】
次にこの複数の連続剥離式セロハンテープ重層１１をカットする時、一辺は完全に切断し、別の一辺は未切断の短接合縁１２３を残す。この短接合縁１２３の幅は約一ミリで、隣合う二枚のセロハンテープ片１２はこの未切断の短接合縁１２３によって繋がっているため、落ちてしまうことがない。
【００１２】
挟持筒３は、可動し、二つに分かれるＩ字型体で、両端にはネジ紋３７が成形されたＴ字型部品３１が合わさる。筒の中心は、軸筒２を納置する中柱３２が成形され、その中柱３２の柱体上には凸環３６が間隔をおいて複数設置され、連続剥離式セロハンテープ１が挟持筒３の中柱３２上で回転した時、摩擦力を下げる働きをする。この中柱３２両端には係止蓋３５が設置され、連続剥離式セロハンテープ１の両辺を支持し、この両係止蓋３５外側には中心凸軸３３が設置される。
【００１３】
図５及び図７に示すとおり、この挟持筒３の両係止蓋３５にはどちらも内向きに傾斜した凸縁３５１を具え、その凸縁３５１の一側面上には弾性を具え、且つ凸縁３５１よりも高くなった起剥器３４が設置される。その起剥器３４内側には傾斜した舌部３４１が設置され、それをセロハンテープ片１２の起剥部１２１に差し込んで剥がす。
【００１４】
底台４上には二本の台肘４１が設置され、両台肘４１内側には各々断面溝４１１が成形され、図６に示すとおり、挟持筒４の中心凸軸３３をその断面溝４１１内に挟む。
【００１５】
使用時、連続剥離式セロハンテープ１を挟持筒３に置く。初めに使用する時にセロハンテープを回転させ、同時に凸縁３５１より少し高い起剥器３４を下へ押す。すると起剥器３４の舌部３４１が、初めの起剥部１２１がすべてを引上げ、係止蓋３５の凸縁３５１で重ねる。起剥器３４を離してセロハンテープから離す。上層のセロハンテープ片１２の起剥部１２１を引上げるだけで下層セロハンテープ片１２の別端の起剥部１２１が一緒に上がり、どちらの方向からでもセロハンテープ片１２をはがせる。
【００１６】
続いて底台４上には、回転構造を設置し、その回転構造は台肘４１下方に設置された凸柱４１２及び差込孔４２１が設置された支持台４２から構成される。そのうち、この差込孔４２１内側には凹点４２２が水平且つ対称に成形され、また凸柱４１２側面にも凸点４１３が設置される。その凸点４１３を支持台４２の差込孔４２１に入れて回転させると、凸点４１３が差込孔４２１内側の凹点４２１にちょうど合い、１８０度回転する。この凸点４１３は別の凹点４２２にも掛合させることができ、このようにして使用者が自在に方向を調節することができる。
【実施例２】
【００１７】
別の実施例として、図８及び図９に示すとおり、連続剥離式セロハンテープユニットは、連続剥離式セロハンテープ１、挟持筒５０及び底台６０を含む。そのうち、この連続剥離式セロハンテープ１は上述の実施例１と構造が同じである。挟持筒５０は可動し、二つに分かれるＩ字形体で、その挟持筒５０中心には連続剥離式セロハンテープ１を入れる中柱５１が成形される。この中柱５１両辺には大きな係止蓋５２が設置され、局部的に連続剥離式セロハンテープ１の両辺を包んでいる。この挟持筒５０の係止蓋５２上には、実施例１と同じ機能の凸縁５３及び起剥器５４が設置され、連続剥離式セロハンテープ１のセロハンテープ片１２に差し込んで立ち上げる。この係止蓋５２上には内向きに軸孔５５が設置され、別の係止蓋５２には孔は開けない。
【００１８】
図１０及び図１１に示すとおり、この底台６０は片肘型形状で、支持軸６１、支持肘６２、上底盤６３及び下底盤６４から構成される。そのうち、この支持軸６１は、挟持筒５０上の軸孔５５に対応し、支持軸６１を軸孔５５に入れると、挟持筒５０は支持軸６１が軸心となって回転する。支持軸６１の一側面と支持肘６２は垂直に連接しており、この支持肘６２の一端は、上底盤６３上に固定される。
【００１９】
上底盤６３と下底盤６４は、可動且つ分離する円盤体で、両者の間には回転構造が設置され、上下盤体６３、６４は相対して回転する。この回転構造は円形凸７０、円形凹槽７１、二つの凹点７２及び凸点７３から構成され、そのうち上底盤６３の円形凸７０と下底盤６４の円形凹槽７１は相互に組み合わさり、上下底盤６３，６４の位置を限定し、且つ円形に回転する。上底盤６３の二つの凹点７２は、それぞれ円７４直径の両端に位置し、その円７４と円形凸７０は同心円である。上底盤６３と下底盤６４を組み合わせると、下底盤６４はこの円７４に相対位置に設置した凸点７３に対応し、その凸点７３は可動して弾性を具える。それは下底盤６４に凹槽６５を設置し、且つその槽口直径は球６６の直径より小さい。その球６６底部はバネ６７によって支持されるため、球６６部分は下底盤６４面から露出し、圧力によって弾性を具える。これによって上下底盤６３，６４を組み立てた後、相対して回転し、凸点７３から凹点７２位置へ移動したとき、両者は雌雄が相互に噛み合い固定される。更に力を加えて上底盤６３を回転させ、凸点７３を下向きに押すと、凹点７２から外れ、１８０度回転した後、凸点７３は別の凹点７２位置で止まり、両者は雌雄構造によって噛み合って固定する。このように使用者は好きな方向からセロハンテープを剥がす。
【図面の簡単な説明】
【００２０】
【図１】本考案実施例の立体分解図である。
【図２】本考案実施例の連続剥離式セロハンテープ正面指示図である。
【図３】本考案実施例の立体組立図である。
【図４】本考案実施例の連続剥離式セロハンテープを挟持筒に設置し、セロハンテープ片一部の起剥部が上がった状態指示図である。
【図５】本考案実施例のセロハンテープ片が引上げられ、係止蓋の凸縁に重ねた状態の断面図である。
【図６】本考案実施例の挟持筒の中心凸軸を台肘の断面溝に掛合した状態の断面図である。
【図７】本考案実施例の起剥器指示図である。
【図８】本考案別実施例の立体分解図である。
【図９】本考案別実施例の立体組立図である。
【図１０】本考案別実施例の底台断面図である。
【図１１】本考案別実施例の上底盤底面の正面図及び下底盤最上面の正面図である。
【符号の説明】
【００２１】
１        連続剥離式セロハンテープ
１１        連続剥離式セロハンテープ重層
１２        セロハンテープ片
１２１        起剥部
１２２        粘着部
１２３        短接合縁
２        軸筒
３        挟持筒
３１        Ｔ字型部品
３２        中柱
３３        中心凸軸
３４        起剥器
３４１        舌部
３５        係止蓋
３５１        凸縁
３６        凸環
３７        ネジ紋
４        底台
４１        台肘
４１１        断面溝
４１２        凸柱
４１３        凸点
４２        支持台
４２１        差込孔
４２２        凹点
５０        挟持筒
５１        中柱
５２        係止蓋
５３        凸縁
５４        起剥器
５５        軸孔
６０        底台
６１        支持軸
６２        支持肘
６３        上底盤
６４        下底盤
６５        凹槽
６６        球
６７        バネ
７０        円形凸
７１        円形凹槽
７２        凹点
７３        凸点
７４        円
１３        
【図１】
0003105587.tif 000003
【図２】
0003105587.tif 000004
【図３】
0003105587.tif 000005
【図４】
0003105587.tif 000006
【図５】
0003105587.tif 000007
【図６】
0003105587.tif 000008
【図７】
0003105587.tif 000009
【図８】
0003105587.tif 000010
【図９】
0003105587.tif 000011
【図１０】
0003105587.tif 000012
【図１１】
0003105587.tif 000013